(57)【要約】【課題】簡単な構成で、単体のディスクが正確にターンテーブルにチャッキングされているか否かを判定し、ディスクを回転させる前にチャッキングミスを検出することが可能なディスクチャッキング装置を提供する。【解決手段】スタビライザー１よりチャッキングミス検出回路へのリード線ａが延びており、ターンテーブル２より同様にしてリード線ｂが延びている。チャッキング成功の場合は、ディスク３中央の孔３ａにターンテーブル２中央の突起２ａが嵌合した状態で、スタビライザー１とターンテーブル２との間でディスク３が挟み込まれ、スタビライザー１とターンテーブル２は互いに接触して導通が生じる。チャッキング失敗の場合は、スタビライザー１とターンテーブル２との間にディスク３が不正に挟まり、スタビライザー１とターンテーブル２は非接触となり導通が生じない。【選択図】      図１
2004280989.tif 000002
【特許請求の範囲】
【請求項１】
ディスクをディスク保持部材とディスク駆動部材との間でチャッキングするディスクチャッキング装置であって、
前記ディスクが正確にチャッキングされているか否かを検出するチャッキングミス検出手段を備えたディスクチャッキング装置において、
前記チャッキングミス検出手段は、前記ディスク保持部材と前記ディスク駆動部材とが互いに接触しているか否かを導通の有無により検出するようにして成り、
前記ディスク保持部材より延びて前記ディスク駆動部材に接触する舌片を備え、
前記ディスク保持部材に接触する第１のブラシと、前記ディスク駆動部材に接触する第２のブラシとを設け、これらのブラシより前記導通の有無をチャッキングミス検出回路に伝達するようにしたことを特徴とするディスクチャッキング装置。
【請求項２】
ディスクをディスク保持部材とディスク駆動部材との間でチャッキングするディスクチャッキング装置であって、
前記ディスクが正確にチャッキングされているか否かを検出するチャッキングミス検出手段を備えたディスクチャッキング装置において、
前記チャッキングミス検出手段は、前記ディスク保持部材と前記ディスク駆動部材とが互いに接触しているか否かを導通の有無により検出するようにして成り、
前記ディスク保持部材より延びて前記ディスク駆動部材に接触する舌片を２個所に備え、一方の前記舌片に接触する第１のブラシと、他方の前記舌片に接触する第２のブラシとを設け、これらのブラシより前記導通の有無をチャッキングミス検出回路に伝達するようにしたことを特徴とするディスクチャッキング装置。
【請求項３】
ディスクをディスク保持部材とディスク駆動部材との間でチャッキングするディスクチャッキング装置であって、
前記ディスクが正確にチャッキングされているか否かを検出するチャッキングミス検出手段を備えたディスクチャッキング装置において、
前記チャッキングミス検出手段は、前記ディスク保持部材と前記ディスク駆動部材とが互いに接触しているか否かを導通の有無により検出するようにして成ることを特徴とするディスクチャッキング装置。
【請求項４】
前記ディスク保持部材より延びて前記ディスク駆動部材に接触する舌片を備えたことを特徴とする請求項３に記載のディスクチャッキング装置。
【請求項５】
前記ディスク保持部材に接触する第１のブラシと、前記ディスク駆動部材に接触する第２のブラシとを設け、これらのブラシより前記導通の有無をチャッキングミス検出回路に伝達するようにしたことを特徴とする請求項３又は請求項４に記載のディスクチャッキング装置。
【請求項６】
前記舌片を２個所に備え、一方の前記舌片に接触する第１のブラシと、他方の前記舌片に接触する第２のブラシとを設け、これらのブラシより前記導通の有無をチャッキングミス検出回路に伝達するようにしたことを特徴とする請求項４に記載のディスクチャッキング装置。
【発明の詳細な説明】
【０００１】
【発明の属する技術分野】
本発明は、ＣＤやＤＶＤ等のディスクをターンテーブルにチャッキングする際の、チャッキングミスを検出する手段を備えたディスクチャッキング装置に関するものである。
【０００２】
【従来の技術】
従来より、このようなディスクをディスクドライブのターンテーブルにチャッキングする際は、例えばディスクをトレイに載置して、これをターンテーブル位置まで引き込み、ディスク中央の孔をターンテーブルに嵌合させて、スタビライザーで挟み込んで固定するといった方法が採られている。
【０００３】
この場合、ターンテーブル上のディスクの有無を判別する方法としては、主としてターンテーブルをスピンドルモータにより一旦回転させ、そのスピンドルモータに掛かる負荷を例えば電気的に検出するということが行われている。そして、負荷が大きいときはディスク有り、負荷が小さいときはディスク無しといった判定がなされている。さらには、ピックアップによりディスクからの反射光の有無を確認することもできる。
【０００４】
その他、収納された記録媒体が正しく位置決めされるか否かを簡単、正確に確認することができる記録再生装置に用いる確認装置が開示されている（例えば、特許文献１参照。）。
【０００５】
具体的には、記録媒体パックの位置決め孔周囲とその位置決め面部とに導電膜を面形成した確認用具を設けるとともに、この確認用具を記録再生装置に収納し、位置決め孔周囲の導電膜が位置決めピンに、位置決め面部の導電膜が装置本体一部に各々接触したとき、導電膜の接触によって回路形成し、記録再生装置が正常な位置決めであることを表示する検出表示回路手段を備えたものとしている。
【０００６】
これにより、検出表示回路手段の表示から正常にセットするか否かについて確認することができるとしている。
【０００７】
また、ディスクと回動型アクチュエータの衝突を確実に防止することが可能なカートリッジ式ディスク装置が開示されている（例えば、特許文献２参照。）。
【０００８】
具体的には、カートリッジ内に収められたディスクに対して記録または再生を行うカートリッジ式ディスク装置において、ディスクがディスク装置本体のディスク駆動部にチャッキングされているか否かを検出するチャック検出手段を備えたものとしている。
【０００９】
これにより、ディスクがチャッキングされていないときに回動型アクチュエータが動作するのを防止できるから、ディスクと回動型アクチュエータが衝突するのを確実に防止でき、これらが破損したり傷が付いたりするのを防止することができるとしている。
【００１０】
さらには、部品点数を少なくしてコストダウンを図るとともに、磁気ディスク装置の設計の自由度を上げ、且つ組立性を良くする磁気ディスク装置が開示されている（例えば、特許文献３参照。）。
【００１１】
具体的には、磁気ディスクを収納したディスクカートリッジを装置内に装着して、該磁気ディスクへの情報の書き込み可否を検出する書き込み禁止孔検出スイッチをこの装置内に配置して、この書き込み禁止孔検出スイッチに磁気ディスクの有無を検出する機能を兼用させたものとしている。
【００１２】
これにより、部品点数が少なくなりコストダウンを図ることができ、また、電気的な接続箇所が少なくなり、設計の自由度，組立作業性を著しく改善することができるとしている。
【００１３】
【特許文献１】
特開平６−４９８６号公報
【特許文献２】
特開平８−１４７８５９号公報
【特許文献３】
特開２００１−１１０１２７号公報
【００１４】
【発明が解決しようとする課題】
しかしながら、ディスクをターンテーブルにチャッキングしようとする際、トレイにディスクを載置するときやトレイ引き込み中に、トレイ上でのディスク位置にズレが生じることにより、ディスクがトレイに正しく載置されていない場合がある。この場合、ディスクが挿入されてもディスク中央の孔がターンテーブルに正確に嵌合されず、ディスクがターンテーブルに対して若干ずれた状態で、スタビライザーとの間で挟み込まれる、いわゆるチャッキングミスが生じることがある。
【００１５】
この状態で、ディスクの有無を検出するために、そのままターンテーブルひいてはディスクが回転してしまうと、ディスクがターンテーブルやトレイ、更にはピックアップと擦れ合って、ディスクに傷が付いてしまう。加えてピックアップが傷んでしまう場合もあり、ディスクドライブの故障の原因にもなりかねない。
【００１６】
このように、ターンテーブル上のディスクの有無を判別する方法として、従来のようにターンテーブルをスピンドルモータにより一旦回転させるといったことを行うと、チャッキングミスがあったときに、トラブルが発生する恐れがある。これを防止するためには、ディスクを回転させる前に、まずディスクが正確にターンテーブルにチャッキングされているか否かを判定する必要がある。
【００１７】
その他、上記特許文献１〜特許文献３に記載されているような構成は、フロッピーディスクのようなカートリッジ式ディスクがディスクドライブに装着されたか否か、若しくはカートリッジ内のディスクをチャッキングする動作が行われたか否かを検出するものに過ぎず、ＣＤやＤＶＤ等の単体のディスクが正確にターンテーブルにチャッキングされているか否かを判定するものではない。
【００１８】
本発明は、上述したような問題点に鑑み、簡単な構成で、単体のディスクが正確にターンテーブルにチャッキングされているか否かを判定し、ディスクを回転させる前にチャッキングミスを検出することが可能なディスクチャッキング装置を提供することを目的とする。
【００１９】
【課題を解決するための手段】
上記目的を達成するために、本発明では、ディスクをディスク保持部材とディスク駆動部材との間でチャッキングするディスクチャッキング装置であって、
前記ディスクが正確にチャッキングされているか否かを検出するチャッキングミス検出手段を備えたディスクチャッキング装置において、
前記チャッキングミス検出手段は、前記ディスク保持部材と前記ディスク駆動部材とが互いに接触しているか否かを導通の有無により検出するようにして成ることを特徴とする。
【００２０】
また、前記ディスク保持部材より延びて前記ディスク駆動部材に接触する舌片を備えたことを特徴とする。
【００２１】
そして、前記ディスク保持部材に接触する第１のブラシと、前記ディスク駆動部材に接触する第２のブラシとを設け、これらのブラシより前記導通の有無をチャッキングミス検出回路に伝達するようにしたことを特徴とする。
【００２２】
或いは、前記舌片を２個所に備え、一方の前記舌片に接触する第１のブラシと、他方の前記舌片に接触する第２のブラシとを設け、これらのブラシより前記導通の有無をチャッキングミス検出回路に伝達するようにしたことを特徴とする。
【００２３】
【発明の実施の形態】
以下、本発明の実施の形態について、図面を参照しながら説明する。本発明では、ディスクのチャッキング部における接触／非接触を検出することで、ディスクが正確にターンテーブルにチャッキングされているか否かを判定する。具体的には、例えばチャッキング機構の上部と下部をスイッチとみなして、互いに接触していればスイッチＯＮ（閉）、非接触ならスイッチＯＦＦ（開）と判定する。
【００２４】
ディスクが正確に装着されておらず、チャッキングが失敗していれば、チャッキング機構の上部と下部との間にディスクが不正に挟まり、上部が下部に対して浮いた状態即ち非接触となるので、スイッチは開状態となる。これにより、ディスクを回転させる前にチャッキングミスを発見することができ、ディスクやピックアップを傷つけることはなくなる。以上のようなチャッキングミス検出手段を備えている。
【００２５】
図１は、本発明のディスクチャッキング装置の概念を模式的に示す正面断面図であり、同図（ａ）はチャッキング成功の状態、同図（ｂ）はチャッキング失敗の状態をそれぞれ示している。また図２は、本発明のディスクチャッキング装置におけるチャッキングミスを検出する検出回路（チャッキングミス検出回路）を示す図であり、同図（ａ）はチャッキング成功時の状態、同図（ｂ）はチャッキング失敗時の状態をそれぞれ示している。
【００２６】
図１において、チャッキング機構は上部のスタビライザー１と下部のターンテーブル２とより成り、スタビライザー１より上記検出回路へのリード線ａが延びており、ターンテーブル２より同様にしてリード線ｂが延びている。チャッキング時にはディスク３中央の孔３ａにターンテーブル２中央の突起２ａが嵌合した状態で、スタビライザー１とターンテーブル２との間で上下よりディスク３を磁力等により挟み込み、チャッキングする。
【００２７】
一方、図２において、上記スタビライザー１とターンテーブル２とで構成されるスイッチ４の一方の端子４ａ（例えばスタビライザー１側）には、検出端子５が接続されており、もう一方の端子４ｂ（例えばターンテーブル２側）には基準電圧ＶＣＣが印加されている。また、端子４ｂは抵抗器６を介してグランドに接地されている。
【００２８】
さて、図１（ａ）に示すように、チャッキング成功の場合は、ディスク３中央の孔３ａにターンテーブル２中央の突起２ａが嵌合した状態で、スタビライザー１とターンテーブル２との間で上下よりディスク３が挟み込まれ、スタビライザー１とターンテーブル２は互いに接触して導通が生じる。このとき、図２（ａ）に示すように、スイッチ４が閉状態となり、検出端子５に基準電圧ＶＣＣがかかり、これがＨｉの信号として検出される。
【００２９】
これに対して図１（ｂ）に示すように、チャッキング失敗の場合は、スタビライザー１とターンテーブル２との間にディスク３が不正に挟まり、スタビライザー１がターンテーブル２に対して浮いた状態となるので、スタビライザー１とターンテーブル２は非接触となる。そして、ディスク３は導電性がないので、スタビライザー１とターンテーブル２との間で導通が生じることはない。このとき、図２（ｂ）に示すように、スイッチ４が開状態となり、基準電圧ＶＣＣは検出端子５に全くかからなくなり、この状態がＬｏの信号として検出される。
【００３０】
なお、ディスク３が挿入されなかった場合でも、チャッキング成功と同様の状態となる。即ち、スタビライザー１とターンテーブル２が互いに接触して導通が生じ、スイッチ４が閉状態となる。しかしこの場合は、従来と同様にして、ターンテーブル２を図示しないスピンドルモータにより一旦回転させ、そのスピンドルモータに掛かる負荷を例えば電気的に検出することができる。
【００３１】
そして、負荷が小さいときはディスク無しと判定することができる。或いは、図示しないピックアップによりディスク３からの反射光の有無を検出し、反射光がないときはディスク無しと判定しても良い。ここでは何れにせよディスクは存在しないので、ディスクやピックアップが傷むようなことはない。
【００３２】
図３は、本発明の第１の実施形態に係るディスクチャッキング装置のチャッキング機構を模式的に示す正面断面図である。本実施形態では、スタビライザー１とターンテーブル２をそれぞれ導電性材料で作製するか、或いは表面に導電性のコーティングを施した上で、スタビライザー１の表面に接触して成るブラシ７と、ターンテーブル２の表面に接触して成るブラシ８とを設けている。そして、ブラシ７より上記検出回路へのリード線ａが延びており、ブラシ８より同様にしてリード線ｂが延びている。
【００３３】
このような構成により、スタビライザー１及びターンテーブル２が回転しても各ブラシの接触が保たれ、スタビライザー１とターンテーブル２との間の導通を検出することができる。或いは、チャッキング時のみブラシが接触し、回転時には非接触となるような構成としても良い。また同図では一例としてブラシ７をスタビライザー１の上面に接触させ、またブラシ８をターンテーブル２の下部側面に接触させているが、これはそれぞれ他の面に接触させても勿論良く、また各ブラシの配置方向も同図に限定されるものではない。
【００３４】
加えて、チャッキング成功時にスタビライザー１とターンテーブル２との接触を確実にするために、例えば同図に示すようにスタビライザー１の天井面より舌片９を突設させ、これがチャッキング時にターンテーブル２の上面に接触するようにして、スタビライザー１とターンテーブル２との間の導通を図るようにしている。
【００３５】
図４は、本発明の第２の実施形態に係るディスクチャッキング装置のチャッキング機構を模式的に示す図であり、同図（ａ）は平面図、同図（ｂ）は正面断面図である。本実施形態では、スタビライザー１の天井面より２つの舌片１０，１１を突設させ、これらがチャッキング時にターンテーブル２の上面に接触するようにして、ターンテーブル２を介して２つの舌片１０，１１間の導通を図っている。
【００３６】
この場合、ターンテーブル２を導電性材料で作製するか、或いは上面に導電性のコーティングを施している。或いは、舌片１０，１１間に設けた導電性部材（不図示）をターンテーブル２で押すことにより、舌片１０，１１間の導通を図るといった構成にしても良い。なお、スタビライザー１は非導電性となっている。
【００３７】
さらに、各舌片１０，１１は、スタビライザー１の天井を貫通して上面まで達しており、中心を間にして対峙するそれぞれ略半月状の接触面１０ａ，１１ａを形成している。そして、接触面１０ａに接触して成るブラシ１２と、接触面１１ａに接触して成るブラシ１３とを設けている。さらに、ブラシ１２より上記検出回路へのリード線ａが延びており、ブラシ１３より同様にしてリード線ｂが延びている。
【００３８】
このような構成により、ターンテーブル２が回転しても各ブラシの接触が保たれ、舌片１０，１１間の導通を検出することができる。或いは、チャッキング時のみブラシが接触し、回転時には非接触となるような構成としても良い。また同図では一例として各舌片の接触面をターンテーブル２の上面に形成しているが、これはそれぞれ他の面に形成しても勿論良く、また各接触面の形状や各ブラシの配置方向等も同図に限定されるものではない。
【００３９】
なお、特許請求の範囲で言うディスク保持部材は実施形態におけるスタビライザーに対応しており、ディスク駆動部材はターンテーブルに対応している。
【００４０】
【発明の効果】
以上説明したように、本発明によれば、簡単な構成で、単体のディスクが正確にターンテーブルにチャッキングされているか否かを判定し、ディスクを回転させる前にチャッキングミスを検出することが可能なディスクチャッキング装置を提供することができる。
【００４１】
具体的には、ディスクのチャッキング部における接触／非接触を検出することで、ディスクが正確にターンテーブルにチャッキングされているか否かを判定する。例えばチャッキング機構の上部と下部をスイッチとみなして、互いに接触していればスイッチＯＮ（閉）、非接触ならスイッチＯＦＦ（開）と判定する。
【００４２】
ディスクが正確に装着されておらず、チャッキングが失敗していれば、チャッキング機構の上部と下部との間にディスクが不正に挟まり、上部が下部に対して浮いた状態即ち非接触となるので、スイッチは開状態となる。これにより、ディスクを回転させる前にチャッキングミスを発見することができ、ディスクやピックアップを傷つけることはなくなる。
【図面の簡単な説明】
【図１】本発明のディスクチャッキング装置の概念を示す正面断面図。
【図２】本発明のディスクチャッキング装置における検出回路を示す図。
【図３】本発明の第１の実施形態に係るディスクチャッキング装置のチャッキング機構を模式的に示す正面断面図。
【図４】本発明の第２の実施形態に係るディスクチャッキング装置のチャッキング機構を模式的に示す図。
【符号の説明】
１    スタビライザー
２    ターンテーブル
３    ディスク
４    スイッチ
５    検出端子
６    抵抗器
７，８    ブラシ
９    舌片
１０，１１    舌片
１２，１３    ブラシ
ａ，ｂ    リード線
【図１】
2004280989.tif 000003
【図２】
2004280989.tif 000004
【図３】
2004280989.tif 000005
【図４】
2004280989.tif 000006